【事件の表示】
　平成１１年特許願第２３１２６９号「基準補正値と相対補正値とを用いた双方向印刷時の記録位置ズレの調整」拒絶査定不服審判事件〔平成１２年１０月２４日出願公開、特開２０００−２９６６０９〕について、次のとおり審決する。
【結　論】
　本件審判の請求は、成り立たない。
【理　由】
１．手続の経緯
　本願は、平成１１年８月１８日（優先権主張：平成１１年２月１０日）に出願したものであって、平成１７年６月２２日付けで拒絶査定がなされ、これに対し、同年７月２８日付けで拒絶査定に対する審判請求がなされるとともに、同年８月２５日付けで明細書についての手続補正がなされたものである。
　
２．平成１７年８月２５日付けの手続補正についての補正却下の決定
［補正却下の決定の結論］
　平成１７年８月２５日付けの手続補正（以下、「本件補正」という。）を却下する。
［理由］
（１）補正の内容
　本件補正は、特許請求の範囲についての補正を含んでおり、本件補正により、特許請求の範囲は、
「　【請求項１】〜【請求項１９】（記載を省略）
　　【請求項２０】　印刷媒体上の各画素位置にドットを記録する印刷ヘッドを備えた印刷装置を用いて、主走査を往復で双方向に行いつつ、印刷画像信号に応じて前記印刷媒体上に画像を印刷する双方向印刷方法であって、
（ａ）特定の基準ドットに関して、往路と復路における主走査方向の記録位置のズレを補正するための前記印刷装置のユーザによって決定された基準補正値を設定する工程と、
（ｂ）少なくとも前記基準補正値を用いて往路と復路における主走査方向の記録位置のズレを減少させるための調整値を決定する工程と、
（ｃ）前記調整値を用いて往路と復路における主走査方向の記録位置を調整する工程と、を備え、
　前記工程（ｂ）は、前記基準補正値を補正するために前記印刷装置の出荷前に予め設定されて前記印刷装置内のメモリに格納された相対補正値で前記基準補正値を補正する第１の調整モードに従って前記調整値を決定する工程を備えることを特徴とする双方向印刷方法。
　　【請求項２１】　請求項２０記載の双方向印刷方法であって、
・・・中略・・・、双方向印刷方法。
　　【請求項２２】　請求項２１記載の双方向印刷方法であって、
・・・中略・・・、双方向印刷方法。
　　【請求項２３】　請求項２１または２２記載の双方向印刷方法であって、
・・・中略・・・、双方向印刷方法。
　　【請求項２４】　請求項２１または２２記載の双方向印刷方法であって、
・・・中略・・・、双方向印刷方法。
　　【請求項２５】　請求項２１または２２記載の双方向印刷方法であって、
・・・中略・・・、双方向印刷方法。
　　【請求項２６】　請求項２０記載の双方向印刷方法であって、
・・・中略・・・、双方向印刷方法。
　　【請求項２７】　請求項２６記載の双方向印刷方法であって、
・・・中略・・・、双方向印刷方法。
　　【請求項２８】　請求項２６または２７記載の双方向印刷方法であって、
・・・中略・・・、双方向印刷方法。
　　【請求項２９】　請求項２８記載の双方向印刷方法であって、
・・・中略・・・、双方向印刷方法。
　　【請求項３０】　請求項２８記載の双方向印刷方法であって、
・・・中略・・・、双方向印刷方法。
　　【請求項３１】　請求項２８記載の双方向印刷方法であって、
・・・中略・・・、双方向印刷方法。
　　【請求項３２】　請求項２０記載の双方向印刷方法であって、
　前記工程（ｂ）は、さらに、前記基準補正値を前記調整値としてそのまま使用する第２の調整モードに従って前記調整値を決定する工程を含む、双方向印刷方法。
　　【請求項３３】　請求項３２記載の双方向印刷方法であって、
・・・中略・・・、双方向印刷方法。
　　【請求項３４】　請求項２０ないし３３のいずれかに記載の双方向印刷方法であって、
・・・中略・・・、双方向印刷方法。
　　【請求項３５】　請求項２０ないし３３のいずれかに記載の双方向印刷方法であって、
・・・中略・・・、双方向印刷方法。
　　【請求項３６】　請求項２０ないし３３のいずれかに記載の双方向印刷方法であって、
・・・中略・・・、双方向印刷方法。
　　【請求項３７】（記載を省略）」
から
「　【請求項１】〜【請求項１８】（記載を省略）
　　【請求項１９】　印刷媒体上の各画素位置にドットを記録する印刷ヘッドを備えた印刷装置を用いて、主走査を往復で双方向に行いつつ、印刷画像信号に応じて前記印刷媒体上に画像を印刷する双方向印刷方法であって、
（ａ）特定の基準ドットに関して、往路と復路における主走査方向の記録位置のズレを補正するための前記印刷装置のユーザによって決定された基準補正値を設定する工程と、
（ｂ）少なくとも前記基準補正値を用いて往路と復路における主走査方向の記録位置のズレを減少させるための調整値を決定する工程と、
（ｃ）前記調整値を用いて往路と復路における主走査方向の記録位置を調整する工程と、を備え、
　前記工程（ｂ）は、前記基準補正値を補正するために前記印刷装置の出荷前に予め設定されて前記印刷装置内のメモリに格納された相対補正値で前記基準補正値を補正する第１の調整モードと、前記基準補正値を前記調整値としてそのまま使用する第２の調整モードとのうちから選択された調整モードに従って前記調整値を決定する工程を備えることを特徴とする双方向印刷方法。
　　【請求項２０】　請求項１９記載の双方向印刷方法であって、
・・・中略・・・、双方向印刷方法。
　　【請求項２１】　請求項２０記載の双方向印刷方法であって、
・・・中略・・・、双方向印刷方法。
　　【請求項２２】　請求項２０または２１記載の双方向印刷方法であって、
・・・中略・・・、双方向印刷方法。
　　【請求項２３】　請求項２０または２１記載の双方向印刷方法であって、
・・・中略・・・、双方向印刷方法。
　　【請求項２４】　請求項２０または２１記載の双方向印刷方法であって、
・・・中略・・・、双方向印刷方法。
　　【請求項２５】　請求項１９記載の双方向印刷方法であって、
・・・中略・・・、双方向印刷方法。
　　【請求項２６】　請求項２５記載の双方向印刷方法であって、
・・・中略・・・、双方向印刷方法。
　　【請求項２７】　請求項２５または２６記載の双方向印刷方法であって、
・・・中略・・・、双方向印刷方法。
　　【請求項２８】　請求項２７記載の双方向印刷方法であって、
・・・中略・・・、双方向印刷方法。
　　【請求項２９】　請求項２７記載の双方向印刷方法であって、
・・・中略・・・、双方向印刷方法。
　　【請求項３０】　請求項２７記載の双方向印刷方法であって、
・・・中略・・・、双方向印刷方法。
　　【請求項３１】　請求項１９記載の双方向印刷方法であって、
・・・中略・・・、双方向印刷方法。
　　【請求項３２】　請求項１９ないし３１のいずれかに記載の双方向印刷方法であって、
・・・中略・・・、双方向印刷方法。
　　【請求項３３】　請求項１９ないし３１のいずれかに記載の双方向印刷方法であって、
・・・中略・・・、双方向印刷方法。
　　【請求項３４】　請求項１９ないし３１のいずれかに記載の双方向印刷方法であって、
・・・中略・・・、双方向印刷方法。
　　【請求項３５】（記載を省略）」
と補正された。
　
（２）補正目的についての検討
　「双方向印刷方法」に関する発明は、補正前には、請求項２０〜３６、補正後には、請求項１９〜３４に係る発明のみである。平成１７年８月２５日付け審判請求書についての手続補正書第１頁下から第４〜３行に「補正後の請求項１９は、元の請求項（２０＋３２）に相当しています。
　元の請求項３２は削除し、元の請求項３３〜３６の請求項番号を順次繰り上げました。」との記載があり、補正前請求項２０〜３１、３３〜３６が補正後請求項１９〜３０、３１〜３４に形式上対応しているものと認められるが、補正前請求項３２の記載は、「請求項２０記載の双方向印刷方法であって、
　前記工程（ｂ）は、
さらに
とのうちから選択された調整モード
　そこで、補正後請求項１９が補正前請求項２０を限定的に減縮したものであるか否か検討すると、補正前請求項２０には、調整値を決定する工程に調整モードを選択することが記載されていなかったのにもかかわらず、補正後請求項１９には、調整値を決定する工程に調整モードを選択することを加え、更に第２の調整モードを選択肢として加えており、その結果、第１の調整モードに従って調整値を決定する工程を含まない双方向印刷方法が含まれることとなり、補正後請求項１９についての補正は、特許請求の範囲の減縮を目的とするものとは到底いえない。
　更に、明りょうでない記載の釈明（拒絶理由通知に係る拒絶の理由に示す事項についてするものに限る。）ともいえず、請求項の削除でも誤記の訂正でもないことは明らかであるから、平成１８年改正前特許法第１７条の２第４項各号に規定する事項を目的としておらず、該規定に違反するものである。
　
（３）むすび
　以上のとおり、本件補正は、平成１８年改正前特許法第１７条の２第４項の規定に違反するものであるから、同法第１５９条第１項の規定において読み替えて準用する同法第５３条第１項の規定により却下されるべきものである。
　
３．本願発明について
　平成１７年８月２５日付けの手続補正は上記のとおり却下されたので、本願の請求項２０に係る発明は、平成１６年６月１８日付け手続補正書の特許請求の範囲の請求項２０に記載された事項により特定されるものであり、その請求項２０に係る発明（以下、「本願発明」という。）を再掲すると、以下のとおりである。
　
「印刷媒体上の各画素位置にドットを記録する印刷ヘッドを備えた印刷装置を用いて、主走査を往復で双方向に行いつつ、印刷画像信号に応じて前記印刷媒体上に画像を印刷する双方向印刷方法であって、
（ａ）特定の基準ドットに関して、往路と復路における主走査方向の記録位置のズレを補正するための前記印刷装置のユーザによって決定された基準補正値を設定する工程と、
（ｂ）少なくとも前記基準補正値を用いて往路と復路における主走査方向の記録位置のズレを減少させるための調整値を決定する工程と、
（ｃ）前記調整値を用いて往路と復路における主走査方向の記録位置を調整する工程と、を備え、
　前記工程（ｂ）は、前記基準補正値を補正するために前記印刷装置の出荷前に予め設定されて前記印刷装置内のメモリに格納された相対補正値で前記基準補正値を補正する第１の調整モードに従って前記調整値を決定する工程を備えることを特徴とする双方向印刷方法。」
　
（１）引用刊行物
　原査定の拒絶の理由に引用され、本願優先権主張日前に頒布された特開平７−８１１９０号公報（以下、「刊行物」という。）には、以下の記載が図示とともにある。
ア．【００６５】また、本実施例で用いるインクジェットはカラーヘッドも両方向印字を行うものとし、以下の要領でユーザーは各色間のドットズレ補正と、各色毎の両方向印字時のドットズレ補正の両方を行うものとする。図１２にこれら補正行程のフローチャートを示した。
【００６６】ユーザーがレジ調整モードを指定すると、本体はまず各色ドットズレ補正モードに入る。
【００６７】ユーザーがＬＥＤの点灯状態などで補正モードに入っていることを確認し、スタートＳＷを押すことにより、本体は４色ヘッドを用いて各色ドットズレ補正パターンの印字を開始する。この時に出力されるサンプルは、図３に示したパターンを図５の様に配列させたものであるが、ブラックとシアン、ブラックとマゼンタ、ブラックとイエローの３つの組み合わせについてパターンを印字するものとする。また、この場合においても吐出タイミングは１０μｍ毎に１５段階に変化させ、図５と同様にそれぞれに応じたＬＥＤモデルも同時に印字する。
【００６８】出力されたサンプルから、３色それぞれについて最もブラックに近いパターンをユーザーが選択し、まずシアンについて選択した位置のＬＥＤ状態を設定し、記憶ＳＷでシアン往方向の吐出タイミングを記憶させる。
【００６９】同様に、マゼンタ、イエローについての入力、記憶操作を行う。
【００７０】イエローのドット位置補正の記憶が完了した段階で、本体は両方向ドット位置補正モードに入る。ユーザーがサンプルの印字が再び可能なことを確認し、スタートＳＷを押す。これにより、両方向ドット位置補正用パターンの印字が４色ヘッドを用いて開始される。ここで印字されるパターンは図２に示したものであり、吐出タイミングはやはり１０μｍ毎に１５段階に変化させ、それぞれに応じたＬＥＤモデルも同時に印字する。
【００７１】ユーザーは、各色について最も良好な一様性をもつパターンを選び、ブラック、シアン、マゼンタ、イエローの順にＬＥＤを用いて補正値を入力する。
【００７２】最後のイエロー補正値の記憶が終了した段階で、ドット位置補正モードは全て終了し、本体は通常の印字モードに戻る。
イ．【００７３】本実施例では、まず片方行印字において各色をブラックヘッドの吐出タイミングに合わせ、その後、各色毎に復路方向の吐出タイミングを往路方向の吐出タイミングに合わせている。従って、各色の往路印字、復路印字が全て独立に補正可能であるような構成を予め持っている必要がある。
【００７４】しかしこの様な構成を持っていなくとも、各色をブラックに合わせて補正した後は、ブラックのみ両方向ドット位置補正することで、各色もブラックと同じだけの補正がかかるような構成を持っていれば、カラー両方向印字のドットズレは十分に補正できるであろう。
ウ．【００７５】以上説明してきたように、本実施例によれば図３に示すようなパターンを、４回の片方向走査で分割記録する際に、吐出タイミングを段階的に変化させた複数のパターンを形成することによって、その一様性から各色ヘッドの吐出タイミングの適正値を判断し、本体に入力することによって、両方向印字時の着弾位置ズレを高精度に補正することが可能となる。
【００７６】なお、以上はユーザー自身が補正する場合として説明してきたが、本体出荷時にこれらの補正を行い、ここでの補正値をユーザーレジ調整パターンの中心値としておけば、その後の調整幅を予め絞っておくことが出来る。実際にこれらのドットズレが起こる要因は、先にも説明したように記録装置本体に固有なものが多いのであるから、この様な絶対的な補正は着荷時前に行っておく方が好ましい。
エ．【図１２】には、各色ドット位置補正モードで、シアン、マゼンタ、イエローの適正値を入力し、両方向ドット位置補正モードでブラック、シアン、マゼンタ、イエローの適正値を入力することが記載されている。
　
　上記刊行物は、「インクテストプリント方法及びインクジェット記録装置」に関するものであるが、上記ア．の段落【００６５】に両方向印字を行うインクジェットが記載されており、印刷画像信号に応じて印刷媒体上に画像を印刷することは技術常識であるから、インクテストプリントを行い、ドットズレ補正を行った後、印刷画像信号に応じて印刷媒体上に画像を印刷する双方向印刷方法を認識できる。よって、上記記載及び図面を含む刊行物全体の記載から、刊行物には、以下の発明が開示されていると認められる。
「カラーヘッドを備えたインクジェットを用いて、印刷画像信号に応じて印刷媒体上に画像を印刷する双方向印刷方法であって、
　ユーザーは、ブラックとシアン、ブラックとマゼンタ、ブラックとイエローの３つの組み合わせについてドットズレ補正パターンを印字し、ブラックドットに対するシアン、マゼンタ、イエローの往方向のドット位置補正の記憶操作をし、
　ユーザーは、ブラック、シアン、マゼンタ、イエローの両方向ドット位置補正用パターンを印字し、ブラック、シアン、マゼンタ、イエローの両方向ドット位置補正用補正値を入力し、
その後、印字モードに戻る双方向印刷方法。」
　
（２）対比・判断
　本願発明と刊行物記載の発明とを比較すると、刊行物記載の発明の「カラーヘッド」及び「インクジェット」は、それぞれ本願発明の「印刷ヘッド」及び「印刷装置」に相当する。
　刊行物記載の発明のインクジェットのカラーヘッドは、印刷媒体上の各画素位置にドットを記録するものであり、双方向印刷方法を行うのは通常いわゆるシリアル型の印刷装置であって、主走査を往復で双方向に行いつつ、画像を印刷することは明らかである。
　刊行物記載の発明の往方向のドット位置補正は、ブラックに対するものであるから、ブラックドットを特定の基準ドットと称することができ、ブラックの両方向ドット位置補正用補正値は、往路と復路における主走査方向の記録位置のズレを補正するためのものであるから、ブラックの両方向ドット位置補正用補正値を基準補正値と称することができる。また、刊行物記載の発明は、ユーザーがブラックの両方向ドット位置補正用補正値を入力しているから、往路と復路における主走査方向の記録位置のズレを補正するための印刷装置のユーザによって決定された基準補正値を設定する工程を有しているものといえる。
　刊行物記載の発明の往方向のドット位置補正の記憶操作では、往方向のドット位置補正値が入力されることは明らかであり、刊行物記載の発明のインクジェットは、入力された往方向のドット位置補正値と両方向ドット位置補正用補正値とを用いて、色ズレ及び往路と復路における主走査方向の記録位置のズレを減少させることは明らかであるから、少なくとも基準補正値を用いて往路と復路における主走査方向の記録位置のズレを減少させるための調整値を決定する工程を有しているものといえる。
　刊行物記載の発明のインクジェットは、印字モードに戻った際に、前記調整値を用いて往路と復路における主走査方向の記録位置を調整することは明らかであるから、調整値を用いて往路と復路における主走査方向の記録位置を調整する工程を有しているといえる。
　よって、両者は、
「印刷媒体上の各画素位置にドットを記録する印刷ヘッドを備えた印刷装置を用いて、主走査を往復で双方向に行いつつ、印刷画像信号に応じて前記印刷媒体上に画像を印刷する双方向印刷方法であって、
（ａ）特定の基準ドットに関して、往路と復路における主走査方向の記録位置のズレを補正するための前記印刷装置のユーザによって決定された基準補正値を設定する工程と、
（ｂ）少なくとも前記基準補正値を用いて往路と復路における主走査方向の記録位置のズレを減少させるための調整値を決定する工程と、
（ｃ）前記調整値を用いて往路と復路における主走査方向の記録位置を調整する工程と、を備える双方向印刷方法。」
の点で一致し、以下の点で相違している。
［相違点］工程（ｂ）に関し、本願発明は、基準補正値を補正するために印刷装置の出荷前に予め設定されて前記印刷装置内のメモリに格納された相対補正値で前記基準補正値を補正する第１の調整モードに従って調整値を決定するのに対し、刊行物記載の発明は、そのような特定がない点。
　
　上記相違点に関して検討する。
　刊行物記載の発明のシアン、マゼンタ、イエローの往方向のドット位置補正は、ブラックドットの往方向の位置に対する補正であり、それぞれの往方向のドット位置補正値がインクジェット（本願発明の「印刷装置」）内のメモリに格納されることは明らかである。
　刊行物の上記イ．段落【００７４】に「しかしこの様な構成を持っていなくとも、各色をブラックに合わせて補正した後は、ブラックのみ両方向ドット位置補正することで、各色もブラックと同じだけの補正がかかるような構成を持っていれば、カラー両方向印字のドットズレは十分に補正できる」と記載され、「各色をブラックに合わせて補正」する時に使用する補正値は、シアン、マゼンタ、イエローの往方向のドット位置補正値であり、その補正後の「ブラックのみ両方向ドット位置補正する」とは、シアン、マゼンタ、イエローの往方向のドット位置補正値にブラックの両方向ドット位置補正用補正値（本願発明の「基準補正値」）を補正、即ち、ブラックの両方向ドット位置補正用補正値を基にすれば、シアン、マゼンタ、イエローの往方向のドット位置補正値は、ブラックの両方向ドット位置補正用補正値を補正しているものであるから、シアン、マゼンタ、イエローの往方向のドット位置補正値は、本願発明の「相対補正値」に相当する。
　また、刊行物の上記ウ．段落【００７６】の「以上はユーザー自身が補正する場合として説明してきたが、本体出荷時にこれらの補正を行い」との記載から、インクジェット本体出荷前に前記補正値を予め設定してインクジェット本体内のメモリに格納することが示唆されており、色調整において、補正値をたくさん入力するのは手間がかかり、簡単な入力で調整ができるようにすることは、当然の要求であり、各色のドット位置は、各色インクの粘性等インク自体の性質に負うところが大きく、通常、使用されるインクは決まっているから、シアン、マゼンタ、イエローの往方向のドット位置補正値を出荷前に予め設定してメモリに格納することは当業者が容易になし得る程度のことである。そして、出荷前に予め設定されてメモリに格納されたシアン、マゼンタ、イエローの往方向のドット位置補正値でブラックの両方向ドット位置補正用補正値を補正する態様を第１の調整モードと称することに何の困難性もないから、本願発明の上記相違点のようなものとすることは当業者が容易になし得る程度のことである。
　
　そして、本願発明の作用効果も、刊行物及び周知技術から当業者が予測できる範囲のものである。
　
（３）むすび
　以上のとおり、本願発明は、その優先権主張日前に頒布された刊行物記載の発明及び周知技術に基づいて、当業者が容易に発明をすることができたものであり、特許法第２９条第２項の規定により特許を受けることができないから、他の請求項に係る発明を検討するまでもなく、本願は、拒絶されるべきものである。
　よって、結論のとおり審決する。